(57)【要約】【課題】  特に牛の飼料として胃の中に滞留することなく消化率が向上し食滞の発生を軽減する事ができ、噛み心地がよくなるので嗜好性が高まり飼料の食べ残しが少なくなるようにしたサトウキビ梢頭部家畜飼料及びその製造方法を提供する。【解決手段】  平均切断長さが５〜１５０ｍｍのサトウキビ梢頭部が７０％以上であり、サトウキビ梢頭部の茎部分がほくほくに破砕された繊維状飼料を含むようにした。【選択図】図１０
2011193869.tif 000002
【特許請求の範囲】
【請求項１】
平均切断長さが５〜１５０ｍｍのサトウキビ梢頭部が７０％以上であることを特徴とするサトウキビ梢頭部家畜飼料。
【請求項２】
サトウキビ梢頭部の茎部分がほくほくに破砕された繊維状飼料を含むことを特徴とする請求項１記載のサトウキビ梢頭部家畜飼料。
【請求項３】
選別されたサトウキビ梢頭部を梢頭部裁断装置により裁断するものであって、裁断装置により５〜１５０ｍｍが７０％以上となるようにサトウキビ梢頭部を裁断する手段と、上下ネジ状の凹凸がかみ合った喰い込みローラによりサトウキビ梢頭部の茎部分を捻るように食い込ませて茎部分を繊維状態にする手段と、前記裁断装置の丸く潰されたカッターによりサトウキビ梢頭部の茎部分を叩き潰すように裁断してほくほくの繊維状とする手段とを有するサトウキビ梢頭部家畜飼料の製造方法。
【発明の詳細な説明】
【発明の詳細な説明】
【発明考案の属する技術分野】
【０００１】  本発明は、飼料が胃の中に滞留することなく消化率が向上し食滞の発生を防止する事ができ、ほくほく感があり噛み心地がよく嗜好性が高まり飼料の食べ残しがなくなるサトウキビ梢頭部家畜飼料に関するものである。
【背景技術】
【０００２】  本出願人は、特願２００８−１９０２９６号（特開２０１０−００４８６４号）において、所定長さに裁断されたサトウキビ茎を受け入れるホッパーと、このホッパーからサトウキビ茎を受け入れサトウキビのトラッシュを除去するトロンメルと、トラッシュを除去したサトウキビ茎を受け入れ梢頭部を除去する梢頭部選別区間と、この梢頭部選別区間から選別された梢頭部を裁断して家畜飼料とする家畜飼料製造部と、前記梢頭部選別区間で梢頭部を除去したサトウキビ茎を袋詰めする袋詰部とからなるサトウキビ精脱システム及びトラッシュ除去用トロンメルを提供した。これにより、風力による軽重差で選別することなくサトウキビ茎周囲からハカマを確実に剥離でき、風力選別機等の複雑な選別装置を別途設けることなくサトウキビ梢頭部を選別して飼料化が図れ、かつサトウキビ精脱システム全体として安価に提供できるようにした。【０００３】  しかしながら、前記梢頭部選別区間から選別された梢頭部を裁断して家畜飼料とする家畜飼料製造部において前記梢頭部を裁断する場合、梢頭部を一定の長さに裁断しないと、牛の場合第四胃食滞を引き起こしやすい。第四胃食滞とは、第四胃からの食餌の移送の停止による蓄積が生じる病態である。寒冷期において低品質の粗飼料を給与されている牛（特に妊娠末期の初産牛）での発生が多い。粗飼料の過食により慢性的に第一胃が拡張して粗飼料の消化が不十分となり、その消化物が第四胃に移行することによって生じる。第四胃食滞を呈する牛では食欲廃絶、排便量減少、腹部膨満、低クロール性代謝性アルカローシスによる症状などが認められる。第四胃破裂を引き起こすと腹膜炎やショックにより死亡する。
【背景技術】
【０００４】  例えば、特許文献１には、基端側を支点にして左右旋回と上下回動が可能に車体に支持されたアームに、その先端側から基端側に梢頭部を搬送する搬送手段を配置し、前記アームの先端側に、梢頭部の下端を切断するカッターを設けると共に、該カッターより前方に逆八の字状に開いたかき集め手段を配置し、車体には前記基端側に移送されてきた梢頭部を、細断装置側に取り込む取り込み手段を設けたサトウキビ梢頭部の収穫装置及び収穫方法が記載されている。【０００５】  そして、分蜜糖や黒砂糖の原料となるサトウキビの梢頭部を収穫する装置及び方法であって、サトウキビの梢頭部のみを収穫可能とすることで、牛馬などの飼料を大量に確保可能とする旨説明されている（要約の課題）。【０００６】  さらに、梢頭部は、その下端側から上下の回転ドラム間に送られ、処理室中に取り込まれて、内部の回転カッターで細かくカットされ、かつダクトに向けて、回転カッターの発する風力で送られ、カゴ中に溜められる旨説明されている（段落００４０）。【０００７】  しかしながら、この発明のサトウキビ梢頭部の収穫装置及び収穫方法においては、この装置の回転カッターの速度コントロールによるサトウキビ梢頭部の平均裁断長さ及び破砕状態が記載されていない。【０００８】  また、特許文献２には、あらかじめ略一定長さに切断されたサトウキビ切断片を略整列させて搬送する搬送手段と、同搬送手段により搬送されてくるサトウキビ切断片の内、梢頭部だけを他のサトウキビ切断片である健全茎部から選別する選別手段とを装備し、選別手段は一対の挟持体を具備し、両挟持体は梢頭部を挟持可能であるが健全茎部は挟持不可能な挟み角を形成する挟み角形成開始位置と、梢頭部の挟持が解除される開放角形成開始位置とを有して、開放角形成開始位置にて開放される梢頭部の放出落下位置と、開放角形成開始位置に至る前に放出される健全茎部の放出落下位置とを離隔させることができるようにしたサトウキビの梢頭部選別装置が記載されている。【０００９】  しかしながら、この発明は単にサトウキビの健全茎部と梢頭部との選別装置であって、サトウキビ梢頭部を裁断する旨の記載がなく、またサトウキビ梢頭部の平均裁断長さ及び破砕状態が記載されていない。【００１０】  特許文献１  特開平１１−２２０９２７号公報
特許文献２  特開２００１−３００４２８号公報
【発明が解決しようとする課題】
【００１１】  本発明は、特に牛の飼料として胃の中に飼料が滞留することなく消化率が向上し、食滞の発生を防止する事ができ、ほくほく感があり噛み心地がよくなるので嗜好性が高まり飼料の食べ残しがないサトウキビ梢頭部家畜飼料及びその製造方法を提供することにある。
【課題を解決する手段】
【００１２】  請求項１の発明は、平均切断長さが５〜１５０ｍｍのサトウキビ梢頭部が７０％以上であることを特徴とするサトウキビ梢頭部家畜飼料を提供するものである。
【００１３】  この発明においては、平均切断長さが５〜１５０ｍｍに裁断されたサトウキビ梢頭部が７０％以上であり適切な長さの梢頭部がほとんどであるので、特に牛の飼料として胃の中に滞留することなく食滞の発生を軽減する事ができる。また、梢頭部の長さが適切であり嗜好性が高まり飼料の食べ残しが少なくなる。好ましくは平均切断長さが１０〜１００ｍｍに裁断されたサトウキビ梢頭部が８０％以上である。
【００１４】  請求項２の発明は、サトウキビ梢頭部の茎部分がほくほくに破砕された繊維状飼料を含むことを特徴とするサトウキビ梢頭部家畜飼料を提供するものである。
【００１５】  この発明においては、特に牛の飼料としてほくほくに破砕された繊維状飼料であるので胃の中での消化率が向上し食滞の発生を防止する事ができる。また、ほくほく感があり噛み心地がよくなるので嗜好性が高まり飼料の食べ残しがなくなる。さらに、飼料の軽量化が図れる。
【００１６】  請求項３の発明は、選別されたサトウキビ梢頭部を梢頭部裁断装置により裁断するものであって、裁断装置により５〜１５０ｍｍが７０％以上となるようにサトウキビ梢頭部を裁断する手段と、上下ネジ状の凹凸がかみ合った喰い込みローラによりサトウキビ梢頭部の茎部分を捻るように食い込ませて茎部分を繊維状態にする手段と、前記裁断装置の丸く潰されたカッターによりサトウキビ梢頭部の茎部分を叩き潰すように裁断してほくほくの繊維状とする手段とを有するサトウキビ梢頭部家畜飼料の製造方法を提供するものである。
【００１７】この発明においては、平均切断長さが５〜１５０ｍｍに裁断されたサトウキビ梢頭部が７０％以上であり適切な長さの梢頭部がほとんどであるので、特に牛の飼料として胃の中に滞留することなく食滞の発生を防止する事ができる。また、梢頭部の長さが適切である。また、特に牛の飼料としてほくほくに破砕された繊維状飼料であるので胃の中での消化率が向上し食滞の発生を防止する事ができる。また、ほくほく感があり噛み心地がよくなるので嗜好性が高まり飼料の食べ残しがなくなる。さらに、飼料の軽量化が図れる。
【発明を実施するための形態】
【００１８】  以下に本発明の一実施例を図面に基づき説明する。図１はサトウキビ精脱システムの概略全体平面図であり、図２は図１のＩ−Ｉ線視図、図３は図１のＩＩ−ＩＩ線視図、図４は図１のＩＩＩ−ＩＩＩ線視図である。
【００１９】  ハーベスターにより所定長さに裁断されたサトウキビ茎Ａ１（図５）はホッパー１に貯留される。このサトウキビ茎Ａ１はホッパー１より送り装置２を介してサトウキビのトラッシュを除去するトロンメル３に間欠的に順次供給される。このトロンメル３において、サトウキビの健全茎Ａ２とサトウキビ茎Ａ１の周囲に付着するハカマＢ（図６）等のトラッシュを除去する。
【００２０】  トロンメル３は、図７に示すように筒状態の回転体であり、内面平滑な樹脂材料、例えば、塩化ビニールであり、前記トロンメル３にトラッシュの排出方向（矢印Ｘ）へ送風する送風機４を設け、該トロンメルをサトウキビ茎の排出方向へ約４．５度の角度Ｙで低くなるよう傾斜状に設けている。この角度Ｙは３．２〜８．０度の範囲で低くなるよう傾斜状に設けることができる。好ましくは４．０〜６．０度の範囲である。上記内面平滑な樹脂材料、例えば、塩化ビニールとした理由は、サトウキビ茎の両端切断部Ａ４、Ａ４（図６）がつぶれないようにしたもので、サトウキビ茎の両端切断部Ａ４、Ａ４が金属面等との接触（トロンメルの回転によりサトウキビ茎Ａ１が上方から下方に落下したときに生ずる）によりつぶれてその部分からの腐敗の進行が極めて速くなるからである。
【００２１】  図８に示す如く、このトロンメル３の内周面にはサトウキビ茎Ａ１の排出配列方向に平行なブレード５・・・を設け、このブレード５・・・のサトウキビ接触辺にサトウキビハカマＢを剥取する波型刃Ｍを形成している。
【００２２】  前記ブレード５・・・の立上幅Ｌは５〜８０ｍｍで、波型刃Ｍ先端が湾曲形状Ｎをなし、波型刃ＭのピッチＯが５〜５０ｍｍで、波型刃Ｍの深さＰが３〜１５ｍｍである。好ましくは、前記立上幅Ｌは１５〜５０ｍｍで、波型刃Ｍ先端はサトウキビ茎の節の湾曲Ａ３（図６）に近いか、それより小さい湾曲形状Ｎとなしており、波型刃ＭのピッチＯは１０〜２０ｍｍで、波型刃Ｍの深さＰが５〜１０ｍｍである。また、ブレード５・・・は、トロンメルの回転によりサトウキビ茎Ａ１が上方から下方に落下したときに生ずる金属面（ブレード）との接触を防止するため回転方向に４列以上形成しない方が好ましい。
【００２３】  トロンメル３で除去されたハカマＢ等のトラッシュは第１送風機４及び第２送風機７（図２）の風力によりトラッシュ排出場６へ排出される。一方トラッシュが除去されたサトウキビの健全茎Ａ２・・・と梢頭部Ｃ（図９）は送り装置８を介して梢頭部選別区間９（コンベア）に送られる。
【００２４】  梢頭部選別区間９では、サトウキビの健全茎Ａ２・・・を最終送り装置１０へ送る一方、梢頭部Ｃを人手により選別して梢頭部送り装置１１へ供給する。この梢頭部選別区間から選別された梢頭部Ｃは梢頭部送り装置１１を介して家畜飼料製造部１２へ送られ、そこで梢頭部Ｃの裁断等を行い家畜の飼料を製造する。これにより、このシステムと一体的に梢頭部Ｃの飼料化、食品化が可能となる。製造された家畜飼料はトラック１３の荷台に積まれ搬送される。
【００２５】  一方、サトウキビの健全茎Ａ２・・・は最終送り装置１０を介して袋詰部１４へ送られ、そこで袋詰されてクレーン（図示せず）によりトラックの荷台に積み込まれる。２つの袋詰枠体１４、１４は内部に袋１６、１６設け、例えば、図１に示すように、底部にレール１５、１５を設けて移動可能に形成し、交互に袋詰めできるようにしている。
【００２６】  図１０は前記家畜飼料製造部１２の梢頭部裁断装置１７であり、梢頭部送り装置１１から送られた梢頭部Ｃ・・・は受け台１８から喰込ローラ１９、２０間で喰込み、フライホールカッター２１により裁断され、サトウキビ梢頭部家畜飼料Ｃ１を得る。
【００２７】  この際、喰込ローラ１９、２０の送り速度及びフライホイールカッター２１の回転速度はサトウキビ梢頭部家畜飼料Ｃ１の平均切断長さが５〜１５０ｍｍのものが７０％以上となるように裁断するよう設定されている。好ましくは１０〜１００ｍｍのものが８０％以上、より好ましくは１０〜８０ｍｍのものが８０％以上である。また、図１１に示すように、前記喰込ローラ１９、２０は上下ネジ状の凹凸が噛合った状態であり、サトウキビ梢頭部Ｃ・・・の茎部分を捻るように喰い込ませるので硬い茎部分が繊維状態となるように潰される。
【００２８】  更に、前記フライホイールカッター２１は、図１２に示すように２枚の回転刃２２、２３を有していて、喰込ローラ１９、２０から排出される梢頭部Ｃ・・・をフライホイールカッター２１の開口部２４、２５において順次裁断する。この際、図１３に示すように、前記回転刃２２、２３は夫々、刃の先端２２ａ、２３ａを丸く潰してあり、前記喰込ローラ１９、２０によって茎部分が繊維状に潰されたサトウキビ梢頭部Ｃ・・・の茎部分は、さらに丸く潰した回転刃２２、２３の刃の先端２２ａ、２３ａにより叩き潰すように裁断されるので、これら茎部分はさらにほくほくの繊維状のサトウキビ梢頭部家畜飼料Ｃ１となる。
【００２９】  尚、上記実施例では、サトウキビ精脱システムにおける家畜飼料製造部１２において梢頭部Ｃ・・・の裁断等を行ったが、それ以外の選別方法として前記従来例に示したような梢頭部Ｃ・・・のみを別途選別した後に裁断することにより得られる本考案と同一の飼料は本考案の権利範囲に含まれる。さらに、上記実施例の方法以外の別途の裁断方法により得られる本考案と同一の飼料も本考案の権利範囲に含まれる。
【発明の効果】
【００３０】  この発明においては、平均切断長さが５〜１５０ｍｍに裁断されたサトウキビ梢頭部が７０％以上であり適切な長さの梢頭部がほとんどであるので、特に牛の飼料として胃の中に滞留することなく食滞の発生を防止する事ができる。また、梢頭部の長さが適切であり嗜好性が高まり飼料の食べ残しが少なくなる。
【００３１】  また、特に牛の飼料としてほくほくに破砕された繊維状飼料であるので胃の中での消化率が向上し食滞の発生を防止する事ができる。また、ほくほく感があり噛み心地がよくなるので嗜好性が高まり飼料の食べ残しがなくなる。さらに、飼料の軽量化が図れる。
【図面の簡単な説明】
【００３２】
【図１】  サトウキビ精脱システム全体の概略説明図
【図２】  図１のＩ−Ｉ線視図
【図３】  図１のＩＩ−ＩＩ線視図
【図４】  図１のＩＩＩ−ＩＩＩ線視図
【図５】  ハカマの付着した状態を示すサトウキビ茎の写真
【図６】  ハカマを除去した状態を示すサトウキビ茎の写真
【図７】  トラッシュ除去用トロンメル一部断面説明図
【図８】  ブレード部分拡大図
【図９】  サトウキビ梢頭部の写真
【図１０】  家畜飼料製造部の梢頭部裁断装置の概略図
【図１１】  喰込ローラを示す図１０のＡ−Ａ線視図
【図１２】  フライホイールカッターを示す図１０のＢ−Ｂ線視図
【図１３】  回転刃の先端の部分説明図
【符号の説明】  １            ホッパー
３            トロンメル
４            送風機
５            ブレード
６            トラッシュ排出場６
９            梢頭部選別区間
１０            最終送り装置
１１            梢頭部送り装置
１２            家畜飼料製造部
Ａ１            サトウキビ茎
Ａ２            サトウキビの健全茎
Ｃ・・・        サトウキビ梢頭部
Ｃ１            サトウキビ梢頭部家畜飼料
１７            梢頭部裁断装置
１８            受け台
１９、２０      喰込ローラ
２１            フライホールカッター
２２、２３      回転刃
２４、２５      フライホイールカッターの開口部
２２ａ、２３ａ  刃の先端
【図１】
2011193869.tif 000003
【図２】
2011193869.tif 000004
【図３】
2011193869.tif 000005
【図４】
2011193869.tif 000006
【図５】
2011193869.tif 000007
【図６】
2011193869.tif 000008
【図７】
2011193869.tif 000009
【図８】
2011193869.tif 000010
【図９】
2011193869.tif 000011
【図１０】
2011193869.tif 000012
【図１１】
2011193869.tif 000013
【図１２】
2011193869.tif 000014
【図１３】
2011193869.tif 000015